(57)【特許請求の範囲】
【請求項１】
画像を表示する画像表示装置を備え、操作ハンドルの操作により駆動する打球発射手段に遊技球が打ち出されて当該遊技球が遊技領域に導かれ、当該遊技領域に導かれた遊技球が入賞具に入賞することで所定数の賞球を払い出すパチンコ遊技機であって、
羽根状に形成され、所定の角度で回動することで前記遊技領域に落下する遊技球を拾う羽根部材と、
先端に前記羽根部材が拾った遊技球を乗せるための凹部を有し、該凹部側が所定方向に回動することで、前記凹部に乗せた遊技球を投げる投球手段と、
前記投球手段が投球した遊技球が飛ぶ経路に操作部が設けられ、当該操作部に遊技球が当たることでオン操作されるメカニカルスイッチである停止ボタンと、
前記停止ボタンのオン操作に対応して前記画像表示装置に表示する画像を決定する制御回路とを備え、
前記羽根部材は、前記画像表示装置の周囲に配置された前記遊技球の移動範囲の規制を行う枠部の左側の開口部を開閉する位置に設けられ、
前記投球手段は、前記羽根部材の内側下方に設けられ、
前記停止ボタンは、前記枠部の右内側に設けられ、
前記遊技球は、前記投球手段により投げられることで、前記枠部の左内側から右内側まで移動する
ことを特徴とするパチンコ遊技機。
【発明の詳細な説明】
【技術分野】
【０００１】
本発明は、画像を表示する画像表示装置を備えるパチンコ遊技機に関する。
【背景技術】
【０００２】
従来、パチンコ遊技機は、例えば特許文献１に示されているように、遊技球が図示しない球送り装置によって１球ずつ発射レール上に送り出され、送り出された遊技球が打球発射装置のハンマーに打ち出されて遊技盤の外レールに沿って遊技領域に導かれ、この遊技領域に導かれた遊技球が入賞具に入賞することで所定数の賞球を払い出すようになっている。
【０００３】
また、近年では、スタートチェッカーと呼ばれる入賞具に遊技球が入賞することを起因とし液晶表示装置等の画像表示装置に表示される絵柄が揃うことで権利が発生し、規定ラウンド（例えば１５回）までアタッカーと呼ばれる入賞具を長時間開放させるパチンコ遊技機が普及している。
【０００４】
【特許文献１】特開２００２−０２８３２９号公報
【発明の開示】
【発明が解決しようとする課題】
【０００５】
ところで、上述した従来の画像表示装置に表示される絵柄が揃うことで権利が発生するパチンコ遊技機では、スタートチェッカーと呼ばれる入賞具に遊技球が入賞することを起因とし必ず所定時間以上経過後に前記絵柄を停止させる動作に移るため、スタートチェッカーへの遊技球の入賞から前記絵柄を停止までの間、遊技者の遊技動作に対する関心が低下し、遊技者に倦怠感を感じさせる等の問題があった。
【０００６】
本発明は、こうした従来の問題に鑑みてなされたものであり、画像表示装置に表示される絵柄の変化に対応して特定の入賞具に高確率で入賞する権利を発生させるとともに、前記権利を発生させる絵柄の変化が起きるまでの期間において遊技者の遊技動作に対する関心を高めることができるパチンコ遊技機を提供することを目的としている。
【課題を解決するための手段】
【０００７】
上述した課題を解決するため、請求項１に記載の発明は、画像を表示する画像表示装置を備え、操作ハンドルの操作により駆動する打球発射手段に遊技球が打ち出されて当該遊技球が遊技領域に導かれ、当該遊技領域に導かれた遊技球が入賞具に入賞することで所定数の賞球を払い出すパチンコ遊技機であって、羽根状に形成され、所定の角度で回動することで前記遊技領域に落下する遊技球を拾う羽根部材と、先端に前記羽根部材が拾った遊技球を乗せるための凹部を有し、該凹部側が所定方向に回動することで、前記凹部に乗せた遊技球を投げる投球手段と、前記投球手段が投球した遊技球が飛ぶ経路に操作部が設けられ、当該操作部に遊技球が当たることでオン操作されるメカニカルスイッチである停止ボタンと、前記停止ボタンのオン操作に対応して前記画像表示装置に表示する画像を決定する制御回路とを備え、前記羽根部材は、前記画像表示装置の周囲に配置された前記遊技球の移動範囲の規制を行う枠部の左側の開口部を開閉する位置に設けられ、前記投球手段は、前記羽根部材の内側下方に設けられ、前記停止ボタンは、前記枠部の右内側に設けられ、前記遊技球は、前記投球手段により投げられることで、前記枠部の左内側から右内側まで移動することを特徴とする。
【０００８】
請求項１に記載のパチンコ遊技機によれば、投球手段が羽根部材から遊技球を受け取って投球し、前記投球手段が投球した遊技球が停止ボタンの操作部に当たることで制御回路が画像表示装置に表示する画像を決定するので、画像表示装置に表示される絵柄の変化に対応して特定の入賞具に高確率で入賞する権利を発生させるとともに、前記権利を発生させる絵柄の変化が起きるまでの期間において遊技者の遊技動作に対する関心を高めることができる。
【発明の効果】
【０００９】
本発明のパチンコ遊技機によれば、画像表示装置に表示される絵柄の変化に対応して特定の入賞具に高確率で入賞する権利を発生させるとともに、前記権利を発生させる絵柄の変化が起きるまでの期間において遊技者の遊技動作に対する関心を高めることができるので、遊技者が遊技に倦怠感を感じることを防止し、遊技者に対して好印象を与える等が可能になる。
【発明を実施するための最良の形態】
【００１０】
以下、本発明に係る遊技機の好適な一実施形態をパチンコ遊技機を例に図面を参照して説明する。尚、図１は、パチンコ遊技機１の表側側の外観構造を表した正面図、図２は、パチンコ遊技機１の裏面側の構造を表した図である。
【００１１】
図１において、パチンコ遊技機１は、機枠又は機体として所定の外郭方形枠サイズに構成された固定保持用の外枠２と、この外枠２の前側に設けられ、この外枠２に合わせて方形枠サイズに構成された前枠３とを備えている。
【００１２】
前枠３は、正面左側上下部に配設された開閉連結支持機構４ａ、４ｂを介して外枠２に開閉（片持ち横開き）可能に組付けるとともに、正面右側内部に配設された施錠装置５を利用して閉鎖状態に保持される。
【００１３】
前枠３の正面側には、前枠３の前側面域に合わせた方形状のガラス扉６及び上球皿７が共に横開き開閉及び着脱が可能に組付けられており、施錠装置５および図示しないロック機構を利用して前枠３の前面を覆う閉止状態で保持される。
【００１４】
上球皿７には、球払出口７ａから払い出された遊技球を貯留して整列させる球皿部７ｂが設けられるとともに、球皿部７ｂに貯留する遊技球を下球皿８に排出させる球抜きレバー７ｃが設けられている。球皿部７ｂの左下側には演出用の放音部７ｄが設けられている。
【００１５】
また、前枠３の下部には、球皿部８ａおよび球出口８ｂを有する下球皿８が設けられ、この下球皿８と並んで打球発射装置９が設けられている。打球発射装置９には遊技球の発射操作を行う操作ハンドル９ａが取り付けられている。
【００１６】
前枠３の裏側には、この前枠３と一体に方形枠状の収容枠１０（図２参照）が成形されている。
【００１７】
さらに、前枠３には、パチンコゲームを展開し得る遊技盤１１が、前記収容枠１０（図２参照）の収容面域に対して着脱交換可能にセット保持されている。遊技盤１１は、前面の遊技領域１２を前記ガラス扉６の正面に臨ませており、前枠３の裏側に裏機構１３（図２参照）を装備している。
【００１８】
遊技盤１１は、所定板厚の積層合板の表面にセルが貼り付けられた化粧板１４の前面側に、ステンレス鋼板等を利用した帯状の外レール１６ａおよび内レール１６ｂ（これらを合わせて案内レール１５と称する）が固設され、この案内レール１５に囲まれた内側に遊技領域１２が区画されている。
【００１９】
遊技領域１２内には、多数本の遊技釘とともに、複数の風車、一般入賞具１７や始動入賞具１８並びにアタッカー入賞具１９などの入賞具、中央役物１００等が設けられている。
【００２０】
中央役物１００は、球投げ抽選装置１０１と液晶表示装置２００を組み合わせたものである。
【００２１】
一般入賞具１７は、遊技球が落入可能な入賞孔を有し、ここに入賞した遊技球を検出する入賞球検出センサ（具体的には、遊技球の通過を磁気的、光学的または電気的手段等により検出するセンサ）が取り付けられている。
【００２２】
始動入賞具１８は、いわゆる電動チューリップ構成の入賞具からなり、左右のチューリップ羽根１８ａ、１８ｂを開閉させることができる。この始動入賞具１８にも入賞した遊技球を検出する入賞球検出センサが取り付けられる。
【００２３】
アタッカー入賞具１９は、中央に横長方形状の開口からなる大入賞口を有し、この大入賞口を開閉自在に覆って開閉扉１９ａが取り付けられている。開閉扉１９ａは通常閉止されており、遊技中において所定の遊技条件の下で特別遊技状態が成立したときに、開閉扉１９ａが前方にほぼ９０度倒されて大入賞口が開放される。このアタッカー入賞具１９の大入賞口内にも入賞球検出センサが取り付けられる。
【００２４】
一般入賞具１７、始動入賞具１８及びアタッカー入賞具１９の後側には化粧板１４を貫通するセーフ球通路孔（不図示）が設けられている。一般入賞具１７、始動入賞具１８及びアタッカー入賞具１９に入賞したセーフ球はセーフ球通路孔を通って遊技盤１１の裏面側に排出される。
【００２５】
遊技領域１２の最下部には、入賞具１７、１８、１９に入賞せずに落下したアウト球を集合して排出させるアウト口２０が設けられている。アウト口２０の後側には化粧板１４を貫通してアウト球通路孔が形成されており、アウト口２０に集められたアウト球がアウト球通路孔を通って遊技盤１１の裏面側に排出される。
【００２６】
次に、パチンコ遊技機１の裏面側の構造について詳細に説明する。
【００２７】
図２において、遊技盤１１は、収容枠１０の収容面域の内法に合わせた方形サイズで収容枠１０の裏側から着脱可能に形成されている。また、遊技盤１１は、収容枠１０の収容面域の周囲に配設された係合レバー２１ａ、２１ｂ、２１ｃで固定保持されるようになっている。
【００２８】
収容枠１０は、遊技盤１１をセット保持したときに、遊技盤１１の前面が閉鎖状態にあるガラス扉６（図１参照）のガラス板と所定間隔をおいて対向するように構成されており、遊技盤面とガラス板内面との間に遊技球が落下移動する遊技領域空間が形成される。
【００２９】
また、前枠３の裏側下部には打球発射装置９が取り付けられ、前枠３における収容枠１０の下部に前枠３と一体に遊技補助盤２２が形成されている。なお、遊技補助盤２２の表側には打球発射装置９のハンマーと位置整合して遊技球を遊技盤の外レール１６ａ（図１参照）に向けて発射する発射レールや、放音部７ｄに向けて効果音を発生するスピーカ等が取り付けられている。また、遊技補助盤２２は、上球皿７の裏側に位置し、通常閉鎖状態に保持される上球皿７によりその表面側が覆われている。
【００３０】
収容枠１０の裏側には、球貯留供給機構３０や賞球払出機構４０等を有する裏セット盤５０がヒンジ５１ａ、５１ｂにより横開き可能となって前枠３の裏側に支持されている。裏セット盤５０は、前枠３の裏面を覆う閉止状態で閉止レバー５２ａ、５２ｂ、５２ｃにより前枠３に係止保持されるようになっている。
【００３１】
球貯留供給機構３０は、基本的な構成として、予備賞球用のタンク部材３１、タンク部材３１内に貯留された予備賞球を整列して供給させる整列樋部材３２、遊技機の作動状態を遊技施設側に出力するためのターミナル制御部３３や、その他の関連機構・部材等が装備されて構成される。
【００３２】
整列樋部材３２は、タンク部材３１から供給された予備賞球を整列状に収容して下端の変向出口３４に送出し得るようになっている。
【００３３】
ターミナル制御部３３では、図示しないが遊技ホール側からの電源、パチンコゲーム内容の情報、球切れ情報等に係る必要な回路、デバイス及び電線（コード）用コネクタ、アース端子等が配置、接続されている。
【００３４】
賞球払出機構４０は、裏セット盤５０の盤本体をなす開閉基枠体４１に、球貯留供給機構３０の変向出口３４に繋がる球切れ検出スイッチ４２、変向出口３４から送出される賞球を整列待機通路に整列待機させる整列待機通路部材４３、整列待機通路部材４３からの賞球を受け取り所定の払出条件に基づいて払い出す賞球カセット４４、賞球カセット４４から排出された賞球を球皿側へ排出する賞球排出経路、これらの関連機構・部材等が設けられて構成されている。
【００３５】
球切れ検出スイッチ４２は、賞球として払い出すに充分な予備賞球が整列待機通路部材４３に保持されているか否かを検出するためのものである。
【００３６】
なお、この開閉基枠体４１は、遊技済み球（セーフ球とアウト球）の集合排出経路が設けられるとともに、球貯留供給機構３０に一体に繋がっており、裏セット盤５０は、球貯留供給機構３０、賞球払出機構４０及び開閉基枠体４１を含めた全体がユニット化されたセット部材として構成されている。
【００３７】
さらに、裏セット盤５０の各部には、このパチンコ遊技機１の作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、液晶表示装置２００（図１参照）用の表示制御基板９６等が設けられている。
【００３８】
次に、パチンコ遊技機１におけるゲーム動作の概要を説明する。
【００３９】
パチンコ遊技機１は、上球皿７およびガラス扉６が閉止施錠された状態で遊技に供され、球皿部７ｂに遊技球を貯留させて操作ハンドル９ａを回動操作することにより遊技が開始される。操作ハンドル９ａが回動操作されると、球皿部７ｂに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開される。
【００４０】
遊技領域１２に導かれた遊技球が各入賞具１７、１８、１９に入賞すると、各入賞具に取り付けられた入賞球検出センサによって入賞したセーフ球が検出され、その入賞具の種類や遊技状況に応じた所定数の賞球が賞球払出機構４０から上球皿７もしくは下球皿８に払い出される。また、遊技盤１１の前面側の液晶表示装置２００は、遊技盤１１の裏面側に取り付けられた表示制御基板９６により制御されて前述の遊技状況に応じた種々の表示がなされる。
【００４１】
一方、遊技領域１２に導かれた遊技球が入賞具１７、１８、１９に入賞せずに落下すると、アウト球としてアウト口２０に集合し、アウト球通路孔を通って遊技盤１１の裏面側に排出される。
【００４２】
次に、中央役物１００及びその周辺部について説明する。
【００４３】
図３は中央役物１００及びその周辺部の平面図、図４は中央役物１００を制御する回路系統を示すブロック図、図５は中央役物１００の球拾い動作を示す説明図、図６は中央役物１００の遊技球の保持を示す説明図、図７は中央役物１００の投球動作を示す説明図である。
【００４４】
図３において、中央役物１００の球投げ抽選装置１０１は、羽根型球拾手段１１０と、投球手段１２０と、停止ボタン１３０とから構成されている。
【００４５】
中央役物１００の液晶表示装置２００の回りには遊技球の移動範囲の規制を行う楕円形状の枠部２０１が設けられている。枠部２０１の左側面には開口部２０２が形成されている。開口部２０２は羽根部材１１１により開閉可能になっている。羽根部材１１１は、開口部２０２の下側に設けた軸１１２を中心にして所定角度で回動可能に設けられている。軸１１２は、化粧板１４に回転可能な状態で軸支されている。化粧板１４の内側において、軸１１２にはレバー１１３が取り付け固定されている。レバー１１３はソレノイド１１４のプランジャ１１４ａにより軸１１２が回動する方向に操作される。これにより、ソレノイド１１４は羽根部材１１１を回動させる。このような構造により、羽根部材１１１と、軸１１２と、レバー１１３と、ソレノイド１１４とは羽根型球拾手段１１０を構成している。
【００４６】
枠部２０１の内側の左下がわには、投球アーム１２１が設けられている。投球アーム１２１は、開口部２０２から所定距離離れて右下側に設けた軸１２２を中心にして所定角度で回動可能に設けられている。投球アーム１２１の先端側には、遊技球の乗せる凹部１２５が形成されている。軸１２２は、化粧板１４に所定角度で回動可能な状態で設けられている。化粧板１４の内側において、軸１２２にはレバー１２３が取り付け固定されている。レバー１２３はソレノイド１２４のプランジャ１２４ａにより軸１２２が回動する方向に操作される。これにより、ソレノイド１２４は投球アーム１２１を回動させる。このような構造により、投球アーム１２１と、軸１２２と、レバー１２３と、ソレノイド１２４とは投球手段１２０を構成している。
【００４７】
枠部２０１の右内側には、停止ボタン１３０のケース１３１がネジ止め固定により取り付けられている。停止ボタン１３０は、前記投球手段１２０が投球した遊技球が飛ぶ経路に操作部１３２が設けられ、当該操作部１３２に遊技球が当たることでオン操作される。
【００４８】
また、開口部２０２の内側上部及び奥方には、湾曲板状の誘導部材１５１が設けられている。誘導部材１５１は、羽根部材１１１が拾った遊技球を投球アーム１２１の凹部１２５に誘導する。
【００４９】
枠部２０１の下部の中央には窪み１５２が形成されている。窪み１５２は、停止ボタン１３０の操作部１３２に当たった後または外れた遊技球を下方の遊技領域１２に落下させるためのものである。
【００５０】
図４において、入賞球検出センサ１６１は、始動入賞具１８（図1参照）に設けられているものであり、始動入賞具１８（図1参照）に入賞したセーフ球を検出し、この検出結果の検出信号を主制御基板９１に供給する。
【００５１】
また、主制御基板９１には、停止ボタン１３０からのオンオフ信号が供給される。
【００５２】
主制御基板９１には、表示制御基板９６と、ソレノイド駆動回路１６２、１６３とが接続されている。主制御基板９１は、停止ボタン１３０からのオンオフ信号と入賞球検出センサ１６１との検出結果に基づいて、表示制御基板９６に表示する画像を選択するコマンドデータを供給する。また、主制御基板９１は、入賞球検出センサ１６１の検出結果に基づいて、ソレノイド駆動回路１６２、１６３の制御を行う。
【００５３】
表示制御基板９６は、主制御基板９１からの制御に基づいて画像信号を生成し液晶表示装置２００に画像表示させる。
【００５４】
ソレノイド駆動回路１６２は、主制御基板９１からの制御に基づいて、ソレノイド１１４のコイルに駆動電流を流し、ソレノイド１１４のプランジャ１１４ａ（図３参照）を下方に移動させ、羽根部材１１１（図３参照）を図面に向かって左回りに回動させる。
【００５５】
ソレノイド駆動回路１６３は、主制御基板９１からの制御に基づいて、ソレノイド１２４のコイルに駆動電流を流し、ソレノイド１２４のプランジャ１２４ａ（図３参照）を左下方向に移動させ、投球アーム１２１（図３参照）を図面に向かって右回りに回転させる。
【００５６】
このような構造により、図１に示すパチンコ遊技機１は、画像を表示する画像表示装置として液晶表示装置２００を備え、操作ハンドル９ａの操作により駆動する打球発射手段としての打球発射装置９に遊技球が打ち出されて当該遊技球が遊技領域１２に導かれ、当該遊技領域１２に導かれた遊技球が始動入賞具１８に入賞することで所定数の賞球を払い出す。
【００５７】
図３に示す羽根部材１１１は、羽根状に形成され、所定の角度で回動することで前記遊技領域１２に落下する遊技球を拾う。
【００５８】
投球手段１２０は、前記羽根部材１１１が拾った遊技球を受け取り投球する。
【００５９】
停止ボタン１３０は、前記投球手段１２０が投球した遊技球が飛ぶ経路に操作部１３２が設けられ、当該操作部１３２に遊技球が当たることでオン操作される。
【００６０】
図４に示す主制御基板９１及び表示制御基板９６は、前記停止ボタン１２３のオン操作に対応して前記画像表示装置に表示する画像を決定する制御回路になっている。
【００６１】
以下、中央役物１００の動作について説明する。
【００６２】
まず、遊技者は、図１において、操作ハンドル９ａを操作し打球発射装置９に複数の遊技球を連続して発射させる。打球発射装置９から発射された複数の遊技球が遊技領域１２を通り、複数の遊技球の内一つが始動入賞具１８に遊技球が入賞すると、図４に示す入賞球検出センサ１６１は、遊技球を検出したこと示す検出信号を主制御基板９１に供給する。これにより主制御基板９１は、表示制御基板９６を制御して、図５に示すように液晶表示装置２００に表示する左、中央、右の絵柄６０１、６０２、６０３を上から下へそれぞれ異なる速度で高速移動させるとともに、ソレノイド駆動回路１６２を制御し、羽根部材１１１を左側に開いてから閉じる。羽根部材１１１が開いてから閉じるタイミングで、落下中の遊技球５００が羽根部材１１１の上側に乗った場合、遊技球５００は、羽根部材１１１に拾われ、開口部２０２側に引き込まれ、誘導部材１５１に誘導されて図６に示すように、凹部１２５に乗せられる。
【００６３】
凹部１２５に遊技球５００が乗った状態では、主制御基板９１（図４参照）は、液晶表示装置２００に表示する絵柄６０１、６０２、６０３を上から下へ高速で移動させた状態を維持する。
【００６４】
次に、主制御基板９１（図４参照）は、ソレノイド駆動回路１６３（図４参照）を制御し、ソレノイド１２４を駆動して、投球アーム１２１を右側に高速で回動させ、遊技球５００を停止ボタン１３０の操作部１３２に投げつける。図７に示すように、遊技球５００が停止ボタン１３０の操作部１３２に命中すると、停止ボタン１３０からオン信号が主制御基板９１（図４参照）に供給され、主制御基板９１（図４参照）は、絵柄６０１、６０２、６０３を停止させる。主制御基板９１（図４参照）は、停止ざせた絵柄６０１、６０２、６０３が当たりの組み合わせであった場合、図１に示すアタッカー入賞具１９の開閉扉１９ａを所定の回数続けて開閉させて、アタッカー入賞具１９に高確率で入賞する権利を発生させ、遊技者に通常よりも高確率で多数の遊技球を球払出口７ａから球皿部７ｂに払い出す制御を行う。
【００６５】
このような、パチンコ遊技機１によれば、液晶表示装置２００に表示される絵柄の変化に対応して特定の入賞具に高確率で入賞する権利を発生させるとともに、前記権利を発生させる絵柄の変化が起きるまでの期間において羽根部材１１１による球拾い及び投球アーム１２１による投球で遊技者の遊技動作に対する関心を高めることができるので、遊技者が遊技に倦怠感を感じることを防止し、遊技者に対して好印象を与える等が可能になる。
【００６６】
尚、図１乃至図７に示した実施の形態では、液晶表示装置２００に表示される絵柄の変化として絵柄６０１、６０２、６０３の停止を用いたが、液晶表示装置２００に表示される絵柄の変化としては、大当たりの文字を突然表示する等、各種適用可能である。
【産業上の利用可能性】
【００６７】
本発明は、画像表示装置として液晶表示装置を用いたパチンコ遊技機に限らず、画像表示装置として発光ダイオードによるドットマトリクスを用いたパチンコ遊技機等各種適用可能である。
【図面の簡単な説明】
【００６８】
【図１】図１は、本発明の一実施形態によるパチンコ遊技機の表側側の外観構造を表した正面図である。
【図２】図２は、本発明の一実施形態によるパチンコ遊技機の裏面側の構造を表した図である。
【図３】図３は、本発明の一実施形態による中央役物及びその周辺部の平面図である。
【図４】図４は、本発明の一実施形態による中央役物を制御する回路系統を示すブロック図である。
【図５】図５は、本発明の一実施形態による中央役物の球拾い動作を示す説明図である。
【図６】図６は、本発明の一実施形態による中央役物の遊技球の保持を示す説明図である。
【図７】図７は、本発明の一実施形態による中央役物の投球動作を示す説明図である。
【符号の説明】
【００６９】
１…パチンコ遊技機、２…外枠、３…前枠、
４ａ、４ｂ…開閉連結支持機構、５…施錠装置、６…ガラス扉、
７…上球皿、７ａ…球払出口、７ｂ…球皿部、７ｃ…レバー、
７ｄ…放音部、８…下球皿、８ａ…球皿部、８ｂ…球出口、
９…打球発射装置、９ａ…操作ハンドル、１０…収容枠、１１…遊技盤、
１２…遊技領域、１３…裏機構、１４…化粧板、１５…案内レール、
１６ａ…外レール、１６ｂ…内レール、１７…一般入賞具、
１８…始動入賞具、１８ａ、１８ｂ…チューリップ羽根、
１９…アタッカー入賞具、１９ａ…開閉扉、
２０…アウト口、２１ａ、２１ｂ、２１ｃ…係合レバー、
２２…遊技補助盤、３０…球貯留供給機構、３１…タンク部材、
３２…整列樋部材、３３…ターミナル制御部、３４…変向出口、
４０…賞球払出機構、４１…開閉基枠体、４２…球切れ検出スイッチ、
４３…整列待機通路部材、４４…賞球カセット、５０…裏セット盤、
５１ａ、５１ｂ…ヒンジ、５２ａ、５２ｂ、５２ｃ…閉止レバー、
９１…主制御基板、９２…賞球制御基板、９３…ランプ・音声制御基板、
９４…電源基板、９５…中継基板、９６…表示制御基板、
１００…中央役物、１０１…球投げ抽選装置、
１１０…羽根型球拾手段、１２０…投球手段、１３０…停止ボタン、
２００…液晶表示装置、２０１…枠部、２０２…開口部、
１１１…羽根部材、１１２…軸、１１３…レバー、
１１４…ソレノイド、１１４ａ…プランジャ、１２１…投球アーム、
１２２…軸、１２３…レバー、１２４…ソレノイド、
１２４ａ…プランジャ、１３０…停止ボタン、１３１…ケース、
１３２…操作部、１５１…誘導部材、１２５…凹部、
１５２…窪み、１６１…入賞球検出センサ、
１６２、１６３…ソレノイド駆動回路、
６０１、６０２、６０３…絵柄
【図１】
0004811926.tif 000002
【図２】
0004811926.tif 000003
【図３】
0004811926.tif 000004
【図４】
0004811926.tif 000005
【図５】
0004811926.tif 000006
【図６】
0004811926.tif 000007
【図７】
0004811926.tif 000008